(57)【要約】【課題】サーバ機器が、保持するＶＲ規格で記録された動画ファイルを、ＨＴＴＰを使用したネットワークを介してクライアント機器で再生する際に、Ｒａｎｇｅ（ファイルの先頭をゼロ番地とした絶対アドレスによるファイル上の範囲）による動画データ（ＶＯＢＵ）の送信要求に対し、指定されたＶＯＢＵを動画ファイルの先頭より各ＶＯＢＵのサイズをもとに検索する必要があり、検索に時間がかかる場合には動画データの送信が遅れるため、クライアント機器で行われる通常再生や特殊再生が正常に行われない可能性がある点である。【解決手段】サーバ機器１０１で、動画ファイルを構成する各ＶＯＢＵと、動画ファイルの先頭をゼロ番地としたＲａｎｇｅ（絶対アドレスによる範囲）との関係テーブル１０８を作成し、クライアント機器１０２からの動画データ取得要求に対して、関係テーブル１０８を使用する事で、サーバ機器１０１の応答時間の向上を計る。【選択図】図１
2006081069.tif 000002
【特許請求の範囲】
【請求項１】
動画データを録画処理するとともに、前記動画データによって構成される動画ファイルを管理する管理情報を生成する録画処理部と、動画データの送信要求を受信する要求受信処理部と、前記動画データと前記管理情報とを出力する送信処理部とを備えた記録再生装置と、
動画データの送信要求を送信する要求送信処理部と、前記動画データを受信する受信処理部と、前記動画データの再生処理する再生処理部とを備えた再生装置と、
前記記録再生装置と前記再生装置とを接続するネットワークとからなるシステムにおけるネットワーク動画再生システムであって、
ネットワーク動画再生開始時、またはネットワーク動画再生中に、前記管理情報に加えて、前記動画データと、前記動画データの前記動画ファイル上の範囲とを対応させたテーブルを作成することを特徴とするネットワーク動画再生システム。
【請求項２】
前記動画ファイルは、所定単位の動画データの集合から構成され、前記管理情報は、前記所定単位の動画データの再生時間情報とデータサイズとを含み、前記関係テーブルは、前記動画データと、前記動画データの前記動画ファイル上の範囲とを対応させたテーブルであることを特徴とする請求項１記載のネットワーク動画再生システム。
【請求項３】
前記送信要求を受信したとき、前記関係テーブルより、または前記関係テーブルと前記管理情報より、前記再生装置から要求された動画データを、前記再生装置へ送信することを特徴とする請求項１または２いずれかに記載のネットワーク動画再生システム。
【請求項４】
前記動画データと、前記動画データの前記動画ファイル上の範囲とを対応させた関係テーブルを生成する第１のステップと、サーバ機器が、クライアント機器から送られる動画データの送信要求に対して、関係テーブルをもとに、動画データ送信する第２のステップとを有することを特徴とするネットワーク動画再生システム。
【請求項５】
動画データを録画処理するとともに、前記動画データによって構成される動画ファイルを管理する管理情報を生成する録画処理部と、動画データの送信要求を受信する要求受信処理部と、前記動画データと前記管理情報とを出力する送信処理部とを備え、
動画データの送信要求を送信する要求送信処理部と、前記動画データを受信する受信処理部と、前記動画データの再生処理する再生処理部とを備えた他の動画再生装置とネットワークを介して接続可能であり、
ネットワーク動画再生開始時、またはネットワーク動画再生中に、前記管理情報に加えて、前記動画データと、前記動画データの前記動画ファイル上の範囲とを対応させたテーブルを作成することを特徴とする動画再生装置。
【請求項６】
前記動画ファイルは、所定単位の動画データの集合から構成され、前記管理情報は、前記所定単位の動画データの再生時間情報とデータサイズとを含み、前記関係テーブルは、前記動画データと、前記動画データの前記動画ファイル上の範囲とを対応させたテーブルであることを特徴とする請求項５記載の動画再生装置。
【請求項７】
前記送信要求を受信したとき、前記関係テーブルより、または前記関係テーブルと前記管理情報より、前記他の動画再生装置から要求された動画データを、前記他の動画再生装置へ送信することを特徴とする請求項５または６いずれかに記載の動画再生装置。
【請求項８】
前記動画データと、前記動画データの前記動画ファイル上の範囲とを対応させた関係テーブルを生成する第１のステップと、サーバ機器が、クライアント機器から送られる動画データの送信要求に対して、関係テーブルをもとに、動画データ送信する第２のステップとを有することを特徴とする動画再生方法。
【発明の詳細な説明】
【技術分野】
【０００１】
本発明は、ネットワークを介して接続された記録再生装置と再生装置の再生システムに関するものである。
【背景技術】
【０００２】
記録再生装置（サーバ機器）が内蔵するＨＤＤやＤＶＤ−ＲＡＭなどの記録メディアに記録された動画ファイルを、ネットワークを介して再生装置（クライアント機器）より、通常再生や、早送り再生や早戻し再生などの特殊再生を可能にするネットワーク動画再生方法はこれまでにも考案されている（例えば、特許文献１参照）。
【０００３】
特許文献１では、サーバ機器が、クライアント機器から動画ファイル再生要求を受信すると、まず動画ファイルの管理情報をクライアント機器へ送信する。クライアント機器は、受信した管理情報に記載されている各動画データのデータサイズや再生時間情報をもとに、再生に必要な動画データの取得要求をサーバ機器に送信する。また、クライアント機器は、動画ファイルの最小構成単位であるＧＯＰ単位で、または複数のＧＯＰからなる動画データを要求単位として、サーバ機器へ動画データの送信要求を送る。
【０００４】
しかし、上記のような再生方法を、ＤＶＤ  Ｓｐｅｃｉｆｉｃａｔｉｏｎｓ  ｆｏｒ  ＤＶＤ−ＲＡＭ／ＤＶＤ−ＲＷ／ＤＶＤ−Ｒ  ｆｏｒ  Ｇｅｎｅｒａｌ  Ｄｉｓｃｓ  Ｐａｒｔ  ３  Ｖｉｄｅｏ  Ｒｅｃｏｒｄｉｎｇ（ＶＲ規格）に準拠した動画記録方法で記録されたＭｐｅｇ２動画ファイル（動画ファイル）を保持するサーバ機器と、ＨＴＴＰのようにＲａｎｇｅ（ファイルの先頭をゼロ番地とした絶対アドレスによるファイル上の範囲）によるデータの送信要求をおこなうプロトコルを使用したネットワークにて実現しようとすると、サーバ機器でデータ送信処理に時間がかかる場合があり、クライアント機器で行われる再生や特殊再生が正常に行われない問題が生じる可能性がある。ＶＲ規格で記録された動画ファイルは、動画ファイルを構成するＶＯＢや、ＶＯＢを構成するＶＯＢＵといった動画データを、各動画データのデータサイズと再生時間をもとに、管理情報（ＩＦＯファイル（又はＢＵＰファイル））により相対的に管理されている。よって、再生時間や、各動画データのサイズをもとにした相対的なＶＯＢや、ＶＯＢＵへのアクセスは、ＩＦＯファイルを利用する事で可能となる。しかし、Ｒａｎｇｅによる各動画データのアクセスを行うには、ＩＦＯファイルにＲａｎｇｅによる動画ファイルの管理情報がないため、ファイルの先頭より順番に各動画データのデータサイズを積算し、要求されたＲａｎｇｅに対応する動画データを検索する必要があり、この処理に時間を要する場合、クライアント機器へのデータ送信が遅れ、クライアント機器で行われる再生や特殊再生が正常に行われない問題が生じる可能性がある。本発明はこの問題を解決する手段を提供する。
【特許文献１】特開２００３−４６９２８号公報
【発明の開示】
【発明が解決しようとする課題】
【０００５】
解決しようとする問題点は、クライアント機器からのＲａｎｇｅによる動画データの送信要求に対し、サーバ機器による動画データの送信に時間がかかる事であり、クライアント機器で行われる再生や特殊再生が正常に行われない可能性がある点である。
【課題を解決するための手段】
【０００６】
本発明は、ＶＲ規格で記録された動画ファイルを、ＨＴＴＰを使用するネットワークを介してネットワーク動画再生を行う際に、あらかじめサーバ機器でＩＦＯファイル（又はＢＵＰファイル）をもとに、動画ファイルを構成する全ての、もしくは一部のＶＯＢＵの動画ファイル上のＲａｎｇｅを算出し、Ｒａｎｇｅと、各動画データとの対応表（関係テーブル）を生成する事を主要な特徴とする。また、サーバ機器はＲａｎｇｅによる動画データ送信要求を受信した際に、関係テーブルより、または関係テーブルと動画データを管理するＩＦＯファイルより要求された動画データを検出・特定し、クライアント機器へ送信する事を特徴とする。
【発明の効果】
【０００７】
本発明のネットワーク動画再生方法及びネットワーク動画再生装置は、サーバ機器で、ＶＯＢやＶＯＢＵといった各動画データの動画ファイル上のＲａｎｇｅを算出し、Ｒａｎｇｅと各動画データとの関係テーブルを生成し、その関係テーブルを使用する事で、クライアント機器からの動画データ取得要求に対してのサーバ機器の応答時間が向上するという利点がある。
【発明を実施するための最良の形態】
【０００８】
本発明の請求項１及び５に記載の発明は、動画データを録画処理するとともに、前記動画データによって構成される動画ファイルを管理する管理情報を生成する録画処理部と、動画データの送信要求を受信する要求受信処理部と、前記動画データと前記管理情報とを出力する送信処理部とを備えた記録再生装置と，動画データの送信要求を送信する要求送信処理部と、前記動画データを受信する受信処理部と、前記動画データの再生処理する再生処理部とを備えた再生装置と，前記サーバ機器と前記クライアント機器とを接続するネットワークとからなるシステムにおけるネットワーク動画再生システムであって，ネットワーク動画再生開始時、またはネットワーク動画再生中に、前記管理情報に加えて、前記動画データと、前記動画データの前記動画ファイル上の範囲とを対応させたテーブルを作成するものである。
【０００９】
請求項２及び６に記載の発明は、前記動画ファイルは、所定単位の動画データの集合から構成され、前記管理情報は、前記所定単位の動画データの再生時間情報とデータサイズとを含み、前記関係テーブルは、前記動画データと、前記動画データの前記動画ファイル上の範囲とを対応させたテーブルであるものである。
【００１０】
請求項３及び７に記載の発明は、前記送信要求を受信したとき、前記関係テーブルより、または前記関係テーブルと前記管理情報より、前記クライアント機器から要求された動画データを、前記クライアント機器へ送信するものである。
【００１１】
請求項４及び８に記載の発明は、前記動画ファイルを前記クライアント機器の送信要求単位で管理した関係テーブルを生成する第１のステップと、サーバ機器が、クライアント機器から送られる動画データの送信要求に対して、関係テーブルをもとに、動画データ送信する第２のステップとを有するものである。
【００１２】
（実施の形態１）
図１に本発明の実施の形態におけるシステム全体の構成を示す。本発明におけるネットワーク動画再生装置は、動画再生装置である記録再生装置（サーバ機器）１０１と、他の再生装置である再生装置（クライアント機器）１０２から構成されている。クライアント機器１０２は、サーバ機器１０１に対し、ネットワーク１０３を介してサーバ機器１０１が保持するＶＲ規格で記録された動画ファイルの動画データの送信要求を送信し、サーバ機器１０１はその要求に対し、ネットワーク１０３を介して動画データを送信することによってネットワーク動画再生を行う。ネットワーク１０３は、例えば、インターネットや無線／有線方式のＬＡＮなどである。記録再生装置（サーバ機器）１０１は、ネットワークインターフェイス１０４と、要求受信処理部１０５と、要求処理部１０６と、関係テーブル生成部１０７と、関係テーブル１０８と、送信処理部１０９と、記録メディア１１０と、動画録画処理部１１１とで構成される。記録メディア１１０にはＭＰＥＧ２動画ファイルと、ＭＰＥＧ２動画ファイル１１２の管理情報であるＩＦＯファイル１１３が記憶されている。また、再生装置（クライアント機器）１０２は、ネットワークインターフェイス１１４と、要求送信処理部１１５と、再生制御部１１６と、受信処理部１１７と、再生処理部１１８と、データバッファ１１９と、動画出力処理部１２０とで構成される。
【００１３】
図２にＩＦＯファイル１１３の構成と、ＩＦＯファイル１１３と動画ファイル１１２との関係を示す。
【００１４】
動画ファイル１１２はＶＯＢのシーケンスで構成されている。ＶＯＢは、ＶＲ規格において、一度の録画で記憶される動画のストリームデータの事であり、ＶＯＢＵのシーケンスで構成される。ＶＯＢＵはＶＲ規格における動画データの最小の単位であり、１つ、もしくは複数のＧＯＰにより構成される。ＩＦＯファイル１１３は、ＶＯＢ＿ＩＮＦＯ２０１、ＶＯＢＵ＿ＩＮＦＯ２０２から構成される。ＶＯＢ＿ＩＮＦＯ２０１は、ＶＯＢＵ＿ＮＵＭとＡＤＲ＿ＯＦＳＥＴといった情報を持ち、ＶＯＢＵ＿ＮＵＭはＶＯＢを構成するＶＯＢＵの数であり、ＡＤＲ＿ＯＦＳＥＴは動画ファイル上の動画フィル上のアドレスである。ＶＯＢＵ＿ＩＮＦＯ２０２は、ＶＯＢＵ＿ＳＩＺＥと再生時間といった情報を持ち、ＶＯＢＵ＿ＳＩＺＥは、ＶＯＢＵ＿ＩＮＦＯ２０２に対応するＶＯＢＵの動画ファイル上のデータサイズであり、再生時間は、ＶＯＢＵ＿ＩＮＦＯ２０２に対応するＶＯＢＵの再生時間である。ＶＯＢはファイルの先頭より順番に番号（ＶＯＢ＿ＩＤ）が振られており、ＶＯＢＵは、構成するＶＯＢの先頭ＶＯＢＵより順番に番号（ＶＯＢＵ＿ＩＤ）が振られている。ＶＯＢ＿ＩＤ、ＶＯＢＵ＿ＩＤの２つの情報により動画ファイルを構成するＶＯＢＵを特定し、ＩＦＯファイルの情報をもとに動画ファイル上のＶＯＢＵへアクセスする事が可能となる。
【００１５】
図３に関係テーブル１１８の基本構成となる関係テーブル３０１（ａ）と、Ｒａｎｇｅについて示す。Ｒａｎｇｅはファイルの先頭をゼロ番地とした絶対アドレスにより表現されるファイル上の範囲であり、ファイル上の範囲の先頭アドレスとなるＳｔａｒｔ  ｏｆ  Ｒａｎｇｅ（ＳｏＲ）と、ファイル上の範囲の終了アドレスとなるＥｎｄ  ｏｆ  Ｒａｎｇｅ（ＥｏＲ）で表される。関係テーブル（ａ）３０１は、ＳｏＲ３０２、ＶＯＢ＿ＩＤ３０３、ＶＯＢＵ＿ＩＤ３０４から構成される。ＳｏＲ３０２は、上記で述べた動画ファイルを構成する各ＶＯＢＵの動画ファイル上のＲａｎｇｅにおけるＳｏＲである。ＶＯＢ＿ＩＤ３０３は、ＳｏＲ３０２に対応するＶＯＢＵが構成するＶＯＢのＶＯＢ＿ＩＤを示す。ＶＯＢＵ＿ＩＤ３０４は、ＳｏＲ３０２を動画ファイル上の開始アドレスとするＶＯＢＵのＶＯＢＵ＿ＩＤを示す。Ｒａｎｇｅによる動画ファイル上のＶＯＢＵへのアクセスは、指定されたＲａｎｇｅのＳｏＲを関係テーブルより検索し、ＲａｎｇｅのＳｏＲに対応するＶＯＢＵのＶＯＢ＿ＩＤとＶＯＢＵ＿ＩＤを前記関係テーブルより取得する事で可能となる。
【００１６】
また、関係テーブル３０１（ａ）は、動画ファイルを構成する全てのＶＯＢＵに対応するＲａｎｇｅを持つテーブルであるが、図４で示す関係テーブル４０１（ｂ）のような関係テーブルも考えられる。図４で示す関係テーブル４０１（ｂ）は、関係テーブル３０１（ａ）のように動画ファイルを構成する各ＶＯＢＵごとにＳｏＲ３０２、ＶＯＢ＿ＩＤ３０３、ＶＯＢＵ＿ＩＤ３０４から構成されるテーブルを持つ関係テーブルではなく、特定のＶＯＢＵ数間隔にテーブルを生成する関係テーブルである。
【００１７】
図４に関係テーブル（ｂ）４０１とＩＦＯファイル１１３、動画ファイルとの関係を示す。また、図５に関係テーブル（ｂ）４０１を用いたＲａｎｇｅに対応するＶＯＢＵのＶＯＢ＿ＩＤとＶＯＢＵ＿ＩＤの検索の処理手順について示す。
【００１８】
クライアント機器より受信するＲａｎｇｅによる動画データ送信要求より、ＳｏＲを取得する（Ｓ１１）。Ｓ１１で取得したＳｏＲをもとに、関係テーブル（ｂ）４０１よりＳｏＲ＃ｉ  ≦  ＳｏＲ  ＜ＳｏＲ＃ｉ＋１を満たすＳｏＲ＃ｉ３０２を検索する（Ｓ１２）。Ｓ１２の検索処理で得たＳｏＲ＃ｉの値をＳｏＲ＿ＡＤＲとして、ＳｏＲ＿ＡＤＲ＝ＳｏＲかどうかを判定する（Ｓ１３）。ＳｏＲ＿ＡＤＲ＝ＳｏＲならば、関係テーブル４０１（ｂ）に登録されているＳｏＲ＃ｉに対応するＶＯＢ＿ＩＤ＃ｉとＶＯＢＵ＿ＩＤ＃ｉを取得し、検索を終える（Ｓ１４）。ＳｏＲ＿ＡＤＲ  ≠  ＳｏＲならば、ＳｏＲ＿ＡＤＲに対応するＶＯＢＵのデータサイズをＩＦＯファイル１１３より取得する（Ｓ１５）。Ｓ１５で取得したＶＯＢＵのデータサイズをＳｏＲ＿ＡＤＲに加算する（Ｓ１６）。ＶＯＢＵのデータサイズ加算後のＳｏＲ＿ＡＤＲがＳｏＲ＿ＡＤＲ＝ＳｏＲとなるかを判定する（Ｓ１７）。Ｓ１７の判定結果が、ＳｏＲ＿ＡＤＲ＝ＳｏＲならば、この時点でのＳｏＲ＿ＡＤＲは、Ｓ１６で加算したＶＯＢＵのＳｏＲであるため、ＩＦＯファイル１１３より、Ｓ１６で加算したＶＯＢＵの次に存在するＶＯＢＵのＶＯＢ＿ＩＤとＶＯＢＵ＿ＩＤを取得する（Ｓ１８）。Ｓ１７の判定結果が、ＳｏＲ＿ＡＤＲ≠ＳｏＲならば、ＳｏＲ＿ＡＤＲ＝ＳｏＲとなるまでの間、Ｓ１５からＳ１７を繰り返す。
【００１９】
次に、ユーザーがクライアント機器１０２を用いて、サーバ機器１０１が保持する記録メディア１１０に記録されている動画ファイル１１２を、ネットワークを介して再生する時の動作について述べる。図６にネットワーク動画再生処理のシーケンスを示す。ユーザーからの動画ファイル再生要求が要求送信処理部１１５より、ネットワークインターフェイス１１４へ送られる。ネットワークインターフェイス１１４は、ネットワーク１０３を介してサーバ機器１０１へ動画ファイルの再生要求を送る（Ｓ２１）。ネットワークインターフェイス１０４が受信した動画ファイルの再生要求は、要求受信処理部１０５へと送られる。要求受信処理部１０５は、受け取った再生要求を要求処理部１０６へ送る。要求処理部１０６は、動画ファイルの再生要求を受け取ると、関係テーブル生成部１０７へ関係テーブル（ｂ）４０１の作成命令を送る。その後、送信処理部１０９へ再生要求のあった動画ファイルのＩＦＯファイル送信命令を送る。関係テーブル作成命令を受けた関係テーブル生成部１０７は、ＩＦＯファイルをもとに関係テーブル（ｂ）４０１を生成する（Ｓ２２）。送信処理部１０９は送信命令のあったＩＦＯファイルをネットワークインターフェース１０４へ送り、ネットワークを介してクライアント機器１０２へ送信する（Ｓ２３）。
【００２０】
受信処理部１１７はＩＦＯファイルを受信すると、受信したＩＦＯファイルをデータバッファ１１９に記憶するとともに、再生制御部１１６にＩＦＯファイル受信通知を送る。ＩＦＯ受信通知を受けた再生制御部１１６はＩＦＯファイルをもとに、再生に必要なＶＯＢＵの送信要求を要求送信処理部１１５へ送る。要求送信処理部１１５は、ＨＴＴＰを使用するネットワークを介してＶＯＢＵの送信要求をサーバ機器１０１へ送信する必要があるため、サーバが保持する動画ファイルをＲａｎｇｅで指定をする事でＶＯＢＵの送信要求をサーバ機器１０１へ送信する（Ｓ２４）。ＶＯＢＵの送信要求を受信した要求受信処理部１０５は、送信要求を要求処理部１０６へ送る。送信要求を受け取った要求処理部１０６は関係テーブル（ｂ）４０１より、Ｒａｎｇｅで指定されたＶＯＢＵのＶＯＢ＿ＩＤとＶＯＢＵ＿ＩＤを検索する（Ｓ２５）。Ｓ２５におけるＶＯＢ＿ＩＤとＶＯＢＵ＿ＩＤの検索には、図５で示す処理を用いる。要求処理部１０６は、Ｓ２５の処理の処理によって得たＶＯＢ＿ＩＤとＶＯＢＵ＿ＩＤをもとに、送信すべきＶＯＢＵの送信命令を送信処理部１０９へ送る（Ｓ２６）。送信処理部１０９は送信命令のあったＶＯＢＵをネットワークインターフェース１０４へ送り、ネットワーク１０３を介してクライアント機器１０２へ送信する（Ｓ２７）。受信処理部１１７はＶＯＢＵを受信すると、受信したＶＯＢＵをデータバッファ１１９に記憶するとともに、再生制御部１１６にＶＯＢＵ受信通知を送る。ＶＯＢＵの受信通知を受けた再生制御部１１６は、再生処理部１１８へＶＯＢＵの再生処理命令を送る（Ｓ２８）と共に、ＩＦＯファイルをもとに、再生に必要なＶＯＢＵの送信要求を要求送信処理部１１５へ送る（Ｓ２４）。以降、再生が終了するまで間、（Ｓ２４）から（Ｓ２８）を繰り返す。
【００２１】
また、クライアント機器１０２より、サーバ機器１０１が保持する記録中の動画ファイルを、ネットワークを介して再生する場合も考慮し、動画録画処理部１１１がＩＦＯファイル１１３の更新した後には、動画録画処理部１１１より関係テーブル生成部１０７に対し、更新後のＩＦＯファイルをもとに関係テーブル（ｂ）４０１を更新する命令を送り、更新命令を受け取った関係テーブル生成部１０７は、更新後のＩＦＯファイル１１３をもとに、関係テーブル（ｂ）４０１の更新を行う処理を持たせることも考えられる。上記処理をおこなえば、記録中の動画ファイルのネットワーク動画再生時にも、クライアント機器からの動画データ取得要求に対してのサーバ機器の応答時間の向上を計ることが可能である。
【００２２】
この発明は、サーバ機器１０１が保持するＶＲ規格で記録された、又は記録中の動画ファイルをＨＴＴＰを使用するネットワークを介して、クライアント機器１０２にて再生する際に、クライアント機器１０２からのＲａｎｇｅ指定によるＶＯＢＵの取得要求に対するサーバ機器１０１の応答時間の向上におおいに役立つ。
【産業上の利用可能性】
【００２３】
本発明にかかる記録再生システムは、ＶＲ規格で記録された動画ファイルを持つ録画再生装置をサーバ機器としたネットワーク動画再生を行う録画再生装置およびシステム等において有用である。
【図面の簡単な説明】
【００２４】
【図１】本発明の実施の形態におけるシステム全体の構成を示すブロック図
【図２】同実施の形態におけるＩＦＯファイル１１３の構成と、ＩＦＯファイル１１３と動画ファイル１１２との関係を示す模式図
【図３】同実施の形態における関係テーブル３０１（ａ）の構成を示す模式図
【図４】同実施の形態における関係テーブル４０１（ｂ）の構成を示す模式図
【図５】同実施の形態における関係テーブル４０１（ｂ）を用いた際のＶＯＢ＿ＩＤとＶＯＢＵ＿ＩＤの検索処理手順を示すフローチャート
【図６】同実施の形態におけるネットワーク動画再生処理のシーケンスを示すフローチャート
【符号の説明】
【００２５】
１０１    記録再生装置（サーバ機器）
１０２    再生装置（クライアント機器）
１０３    ネットワーク
１０４、１１４    ネットワークインターフェイス
１０５    要求受信処理部
１０６    要求処理部
１０７    関係テーブル生成部
１０８    関係テーブル
１０９    送信処理部
１１０    記録メディア
１１１    動画録画処理部
１１２    ＭＰＥＧ２動画ファイル
１１３    ＩＦＯファイル
１１５    要求送信処理部
１１６    再生制御部
１１７    受信処理部
１１８    再生処理部
１１９    データバッファ
１２０    動画出力処理部
１２１    ディスプレイ
２０１    ＶＯＢ＿ＩＮＦＯ
２０２    ＶＯＢＵ＿ＩＮＦＯ
３０１    関係テーブル  （ａ）
３０２    ＳｏＲ
３０３    ＶＯＢ＿ＩＤ
３０４    ＶＯＢＵ＿ＩＤ
４０１    関係テーブル（ｂ）
【図１】
2006081069.tif 000003
【図２】
2006081069.tif 000004
【図３】
2006081069.tif 000005
【図４】
2006081069.tif 000006
【図５】
2006081069.tif 000007
【図６】
2006081069.tif 000008